(57)【特許請求の範囲】
【請求項１】
排水中のゴミを捕集するためにシンクの排水口部に着脱可能に取付けられる平面視円形の皿状の網かごであって、
この網かごは、外周が部分弧状をなす複数の分割網かごをフランジ部で分割可能に接合して構成され、
前記分割網かごに設けられた外周枠のフランジ部の外縁の曲率は、前記網かごを構成する網の縦断面の曲率と一致していることを特徴とするゴミ捕集用の網かご。
【請求項２】
請求項１に記載のゴミ捕集用の網かごであって、前記分割網かごを構成する前記フランジ部と前記外周枠は、剛性の高い素材で形成されていることを特徴とするゴミ捕集用の網かご。
【発明の詳細な説明】
【技術分野】
【０００１】
本発明は、排水中のゴミを捕集するためにシンクの排水口部に着脱可能に取付けられたゴミ捕集用の網かごに関する。
【背景技術】
【０００２】
システムキッチンなどキッチンは、キャビネットにシンクが設けられ、シンクの排水口部にはゴミを捕集するための網かごが取付けられていることが多い。
ところが、排水口部の網かごは、いわゆる「ぬめり」などが発生しやすい部位である。この「ぬめり」は、食材や食物の残渣などが付着し、それに雑菌が繁殖して生じたものである。
キッチンを清潔に保つためには、網かごに付着したぬめりを除去する必要があるが、ぬめりが発生した網かごに直接手を触れるのは、ユーザにとってなるべく回避したいところである。
【０００３】
特許文献１（特開平９−４１４５４号公報）には、網かごの清掃を容易にするために網かごを２分割可能にした分割式網かごが記載されている。
【先行技術文献】
【特許文献】
【０００４】
【特許文献１】特開平９−４１４５４号公報
【特許文献２】特開２００７−４６４２２号公報
【発明の概要】
【発明が解決しようとする課題】
【０００５】
網かごを清掃するのに使用される用具は、ぬめりを除去する際に汚れるので使い捨てにすることが多く、無駄が生じやすい。
特許文献１に記載の分割式網かごでは、この分割式網かごを清掃するために別途清掃用具を準備しなければならず、この清掃用具の保管場所にも困っていた。
【０００６】
その他の従来技術として、清掃用部品を排水口部の部材に付属させる例としては、特許文献２（特開２００７−４６４２２号公報）に記載のヘアキャッチャーがある。しかしながら、このような清掃用部品は通常時には使用しないので、このような部品を付属させると紛失の恐れがある。
【０００７】
本発明は、このような課題を解決するためになされたもので、一の分割網かごで捕集されたゴミを除去するときには、他の分割網かごのフランジ部を一の分割網かごの内周面に沿って移動させて清掃することにより、ゴミ捕集用の網かごを清掃する用具を別途準備しなくても、ユーザの手を汚すことなく手軽にこの網かごを清掃することができ、また、清掃用具の保管が不要で清掃用部品の紛失の恐れのないゴミ捕集用の網かごを提供することを目的とする。
【課題を解決するための手段】
【０００８】
上述の目的を達成するため、本発明にかかるゴミ捕集用の網かごは、排水中のゴミを捕集するためにシンクの排水口部に着脱可能に取付けられる平面視円形の皿状の網かごであって、この網かごは、外周が部分弧状をなす複数の分割網かごをフランジ部で分割可能に接合して構成され、前記分割網かごに設けられた外周枠のフランジ部の外縁の曲率は、前記網かごを構成する網の縦断面の曲率と一致している。
前記分割網かごを構成する前記フランジ部と前記外周枠は、剛性の高い素材で形成されているのが好ましい。
また、好ましい実施態様として、ゴミ捕集用の網かごは、排水中のゴミを捕集するためにシンクの排水口部に着脱可能に取付けられる皿状の網かごであって、この網かごは、外周が部分弧状をなす複数の分割網かごをフランジ部で分解可能に接合して構成され、一の前記分割網かごで捕集された前記ゴミを除去するときには、他の前記分割網かごの前記フランジ部を前記一の分割網かごの内周面に沿って移動させて清掃するようにしている。
前記分割網かごは、平板状の当接面を有する前記フランジ部と、このフランジ部に固定され外周が部分弧状をなす外周枠と、この外周枠と前記フランジ部とにより支持され部分皿状をなす網とを有し、前記分割網かご同士は、前記各フランジ部に設けられた接合手段により分解可能に接合されているのが好ましい。
前記フランジ部は、前記分割網かごの鍔としての機能と、前記網を支持する枠部材としての機能とを発揮し、且つ、前記ゴミを掻き取る掻き取り片としての機能も発揮する。
好ましくは、前記網かごは、円形皿状をなして中央部で二つの半円形の前記分割網かごに分割可能であり、一方の前記分割網かごの内部の前記ゴミは、他方の前記分割網かごの前記フランジ部を前記一方の分割網かごの前記内周面に沿って移動させることにより除去されるようにしている。
前記網かごは、前記複数の分割網かごを前記フランジ部で接合して前記排水口部に取付けたときには、前記排水中の前記ゴミを捕集するフィルタの機能を発揮し、前記複数の分割網かごに分解したときには、前記網かごで捕集された前記ゴミを前記分割網かごにより取り除いて前記網かご自体を清掃する清掃用具の機能を発揮する。
前記ゴミ捕集用の網かごを有するキッチンは、上述の網かごが前記シンクの前記排水口部に着脱可能に取付けられている。
【発明の効果】
【０００９】
本発明にかかるゴミ捕集用の網かごは、上述のように構成したので、一の分割網かごで捕集されたゴミを除去するときには、他の分割網かごのフランジ部を一の分割網かごの内周面に沿って移動させて清掃することができることになり、ゴミ捕集用の網かごを清掃する用具を別途準備しなくても、ユーザの手を汚すことなく手軽にこの網かごを清掃することができ、また、清掃用具の保管が不要で清掃用部品の紛失の恐れもない。
【図面の簡単な説明】
【００１０】
【図１】図１ないし図１０は本発明の実施例を示す図で、図１はシステムキッチンの斜視図である。
【図２】システムキッチンにおけるシンクの斜視図である。
【図３】シンクの排水口部の部分断面図である。
【図４】ゴミ捕集用の網かごの斜視図である。
【図５】網かごをひっくり返した斜視図である。
【図６】網かごを分解した斜視図である。
【図７】分解した網かごをひっくり返した斜視図である。
【図８Ａ】網かごを清掃する手順を示す斜視図である。
【図８Ｂ】網かごを清掃する手順を示す斜視図である。
【図８Ｃ】網かごを清掃する手順を示す斜視図である。
【図８Ｄ】網かごを清掃する手順を示す斜視図である。
【図８Ｅ】網かごを清掃する手順を示す斜視図である。
【図８Ｆ】網かごを清掃する手順を示す斜視図である。
【図８Ｇ】網かごを清掃する手順を示す斜視図である。
【図８Ｈ】網かごを清掃する手順を示す斜視図である。
【図９】分割網かごの網の一部を示す斜視図である。
【図１０】変形例にかかる分割網かごの網の一部を示す斜視図で、図９相当図である。
【発明を実施するための形態】
【００１１】
本発明にかかるゴミ捕集用の網かごにおいて、排水中のゴミを捕集するために、シンクの排水口部に平面視円形の皿状の網かごを着脱可能に取付けている。この網かごは、外周が部分弧状をなす複数の分割網かごをフランジ部で分割可能に接合して構成されている。
そして、分割網かごに設けられた外周枠のフランジ部の外縁の曲率は、網かごを構成する網の縦断面、すなわち網の内周面の縦断面の曲率と一致している。
これにより、一の分割網かごの内部のゴミを除去するときには、他の分割網かごのフランジ部を一の分割網かごの内周面に沿って弧状に移動させて清掃することができる。その結果、網かごを清掃する用具を別途準備しなくても、ユーザの手を汚すことなく手軽に網かごを清掃することができ、また、清掃用具の保管が不要で清掃用部品の紛失の恐れもないという目的が実現される。
【００１２】
本発明におけるキッチンとしては、台所に設置される複合厨房家具の一種であるシステムキッチンが一般的であるが、セクショナルキッチンや台所の流し台であってもよい。下記の実施例では、システムキッチンを例にとって説明する。
【実施例】
【００１３】
以下、本発明にかかる実施例を、図１ないし図１０を参照して説明する。
図１はシステムキッチンの斜視図、図２はシステムキッチンにおけるシンクの斜視図、図３はシンクの排水口部の部分断面図、図４はゴミ捕集用の網かごの斜視図、図５は網かごをひっくり返した斜視図、図６は網かごを分解した斜視図、図７は、分解した網かごをひっくり返した斜視図、図８Ａないし図８Ｈは、網かごを清掃する手順を示す斜視図、図９は分割網かごの網の一部を示す斜視図、図１０は、変形例にかかる分割網かごの網の一部を示す斜視図で、図９相当図である。
【００１４】
図１に示すように、キッチンとしてのシステムキッチン１は、全体的に左右方向に延びた所定の形状（ここでは、矩形状）をなして、台所やダイニングルームに設置されている。システムキッチン１は、左右方向に延びた矩形状のキャビネット２と、キャビネット２の上部を覆って取付けられた天板３とを有している。天板３の上面がワークトップになっている。
キャビネット２は床面上に設置されている。キャビネット２は、コンロキャビネット４，一方の調理台キャビネット５，シンクキャビネット６および他方の調理台キャビネット７などが順次並設された構成であり、ワークトップを構成する天板３が、キャビネット４，５，６，７の上部を覆って取付けられている。キャビネット２には、各種の形状，構造の複数の引き出し部が、引き出し収納自在に設けられている。
【００１５】
コンロキャビネット４には、グリル１８を有するコンロ８と、引き出し部が設けられている。一方の調理台キャビネット５は、複数の引き出しを有している。シンクキャビネット６の上部のワークトップには、水栓装置１２やシンク９が設けられている。シンクキャビネット６は、シンク９と水栓装置１２の他に、引き出し部を有しており、シンク９の前方には幕板が設けられている。
他方の調理台キャビネット７は、ビルトインにより設けられた食器洗い乾燥機と、引き出し部とを有している。一方の調理台キャビネット５および他方の調理台キャビネット７の上部の各ワークトップは、それぞれ調理台になっている。
こうして、システムキッチン１は、コンロキャビネット４，一方の調理台キャビネット５，シンクキャビネット６および他方の調理台キャビネット７が複合した複合厨房家具を構成している。
【００１６】
図１ないし図７に示すように、シンク９の底部には排水口部１１が設けられて、シンク９内の排水１４を下方に排出するようにしている。
排水口部１１には、排水１４中のゴミ（たとえば、食材や食物の切れ端）を捕集するための平面視円形の皿状の網かご１０が着脱可能に取付けられている。このように、システムキッチン１には、ゴミ捕集用の網かご１０がシンク９の排水口部１１に着脱可能に取付けられている。
排水口部１１は、シンク９の底板１３に一体的に（または、別体で）固定され所定形状に一体形成された排水口部材１５と、排水口部材１５に着脱可能に取付けられる網かご１０と、網かご１０が設置された排水口を覆って排水口部材１５に取付けられ、その周囲を排水１４が通過可能な排水口蓋１６とを有している。
【００１７】
排水口蓋１６を取り除けば網かご１０が露出し、さらに網かご１０を取り除けば排水口部材１５の内部とこの排水口部材１５に接続された排水用配管１７とが露出するようになっている。
排水口部材１５に網かご１０を取付け、網かご１０が設置された排水口を覆って排水口蓋１６を排水口部材１５に取付ければ、シンク９は使用可能状態になる。そして、シンク９内に水栓装置１２などから水を流せば、ゴミを含むことがある排水１４は、排水口蓋１６の周囲を通過して網かご１０に流入する。
網かご１０で排水１４中のゴミが捕集され、ゴミが除去された排水１４は、網かご１０を通過して、排水用部材１５に接続された排水用配管１７を流れる。
【００１８】
ゴミ捕集用の網かご１０は、外周が部分円弧状をなす複数の分割網かご２０ａ，２０ｂをフランジ部２１ａ，２１ｂで分割可能に接合して構成されている。分割網かご２０ａ，２０ｂに設けられた外周枠３１ａ，３１ｂのフランジ部の外縁の曲率は、網かご１０を構成する網３２ａ，３２ｂの縦断面（網３２ａ，３２ｂの内周面の縦断面）の曲率とほぼ一致している。
図８Ａないし図８Ｈに示すように、一の分割網かご２０
ａ（または、２０ｂ）で捕集されたゴミ２２を除去するときには、他の分割網かご２０ｂ（または、２０ａ）のフランジ部２１ｂ（または、２１ａ）を一の分割網かご２０ａ（または、２０ｂ）の内周面に沿って移動させて、一の分割網かご２０ａ（または、２０ｂ）を清掃するようにしている。
すなわち、一の分割網かご２０ａの網３２ａの内面のゴミ２２は、他の分割網かご２０ｂのフランジ部２１ｂで掻き取られて除去され、他の分割網かご２０ｂの網３２ｂの内面のゴミ２２は、一の分割網かご２０ａのフランジ部２１ａで掻き取られて除去される。
これにより、ゴミ捕集用の網かご１０を清掃する用具を別途準備しなくても、ユーザは手を汚すことなく手軽に網かご１０を清掃することができる。また、清掃用具の保管が不要で清掃用部品の紛失の恐れもない。
【００１９】
図２ないし図７に示すように、分割網かご２０ａ，２０ｂは、平板状の当接面３０ａ，３０ｂをそれぞれ有するフランジ部２１ａ，２１ｂと、フランジ部２１ａ，２１ｂに固定され、外周が部分弧状をなす外周枠３１ａ，３１ｂと、その外周枠３１ａ，３１ｂとフランジ部２１ａ，２１ｂとにより周囲を支持され部分皿状をなす網３２ａ，３２ｂとを有している。
すなわち、一の分割網かご２０ａは、フランジ部２１ａと外周枠３１ａと網３２ａとを有し、他の分割網かご２０ｂは、フランジ部２１ｂと外周枠３１ｂと網３２ｂとを有している。
【００２０】
分割網かご２０ａ，２０ｂの網３２ａ，３２ｂは、合成樹脂により形成されている。一方の分割網かごで他方の分割網かごのゴミ２２を掻き取るときに押付けられることにより分割網かごが変形するのを防止するために、分割網かご２０ａ，２０ｂを構成するフランジ部２１ａ，２１ｂと外周枠３１ａ，３１ｂは、剛性の高い素材で形成されている。
フランジ部２１ａ，２１ｂと外周枠３１ａ，３１ｂを構成するこの素材としては、たとえば硬度の高い合成樹脂が一般的であるが、２つの分割網かご２０ａ，２０ｂのうち一方（または、両方）の分割網かごのフランジ部と外周枠を金属製にしてもよい。
フランジ部２１ａ，２１ｂや外周枠３１ａ，３１ｂを構成する合成樹脂としては、ＡＢＳ樹脂（アクリロニトリル−ブタジエン−スチレン共重合合成樹脂）やＰＳ（ポリスチレン）が挙げられる。
変形例として、分割網かご２０ａ，２０ｂ全体をステンレスなどの金属で形成すれば、全体的に剛性が高くなるので好ましい。特に、分割網かご２０ａ，２０ｂ全体をステンレスで形成すれば腐食しにくく長持ちする。
さらに変形例として、フランジ部２１ａ，２１ｂの外周部を、薄くしてへら状にしたり、自動車のワイパーのようにゴムにすれば、分割網かごのゴミ２２をフランジ部２１ａ，２１ｂの外周部で容易に掻き取ることができ、好都合である。
【００２１】
分割網かご２０ａ，２０ｂ同士は、各フランジ部２１ａ，２１ｂに設けられた接合手段３３により分解可能に接合されている。分割網かご２０ａ，２０ｂを接合手段３３で接合することにより、網かご１０は、網３２ａ，３２ｂがフランジ部２１ａ，２１ｂと外周枠３１ａ，３１ｂで支持された皿状の形状をなす。
フランジ部２１ａは、分割網かご２０ａ，２０ｂ同士を当接させるための、分割網かご２０ａの鍔を構成しており、また、網３２ａを支持するための枠部材を構成している。これと同様に、フランジ部２１ｂは、分割網かご２０ａ，２０ｂ同士を当接させるための、分割網かご２０ｂの鍔を構成しており、また、網３２ｂを支持するための枠部材を構成している。
【００２２】
接合手段３３は、フランジ部２１ｂの当接面３０ｂに突出形成された複数の突起３４と、フランジ部２１ａの当接面３０ａに形成された複数の孔３５とを有している。突起３４を孔３５に係合離脱可能に係合（ここでは、樹脂嵌合）させることにより、フランジ部２１ａ，２１ｂ同士が当接して、分解可能に接合する。
なお、接合手段３３は、フランジ部２１ａ，２１ｂのうち一方に磁石を埋め込み、フランジ部２１ａ，２１ｂのうち他方に鉄の小片を埋め込む（または、フランジ部２１ａ，２１ｂのうち他方のフランジ部自体を金属製（たとえば、鉄製）にすることにより、フランジ部２１ａ，２１ｂ同士を分解可能に接合するようにしてもよい。
【００２３】
本実施例では、ゴミ捕集用の網かご１０は、円形皿状をなして中央部で二つの半円径の分割網かご２０ａ，２０ｂに２分割可能になっている。二つの分割網かご２０ａ，２０ｂのうち一方の分割網かごの内部のゴミは、分割網かご２０ａ，２０ｂのうち他方の分割網かごのフランジ部（フランジ部２１ａまたはフランジ部２１ｂ）を一方の分割網かごの内周面に沿って移動させることにより除去されるようにしている。
したがって、網かご１０を清掃するときに、清掃用具を別途準備しなくても、ユーザは手を汚すことなく手軽に網かご１０を清掃することができる。清掃用具を別途準備しないので、清掃用具を保管する必要はない。また、網かご１０の構成部材以外の清掃用部品を使用しないので、清掃用部品が紛失する恐れもない。
本実施例では、網かご１０を中央部で２分割しているが、３分割，４分割などであってもよい。このようにすれば、分割網かごに広い開口が得られるので、複数の分割網かごのうちの一つの分割網かごのフランジ部を他の分割網かごの内周面に沿ってこの内周面と隙間なく移動させることができることになり、内周面に付着したゴミ２２を良好に除去できるので好ましい。
【００２４】
網かご１０は、複数（ここでは、二つ）の分割網かご２０ａ，２０ｂをフランジ部２１ａ，２１ｂで接合して排水口部１１に取付けたときには、排水１４中のゴミ２２を捕集するフィルタの機能を発揮する。
また、網かご１０は、複数（ここでは、二つ）の分割網かご２０ａ，２０ｂに分解したときには、網かご１０で捕集されたゴミ２２を、分割網かご（分割網かご２０ａまたは分割網かご２０ｂ）により取り除いて網かご１０自体を清掃する清掃用具の機能を発揮する。
このように、網かご１０は、ゴミ２２を捕集するフィルタとしての機能を発揮するとともに、網かご１０自体の構成部材である分割網かご（分割網かご２０ａまたは分割網かご２０ｂ）を清掃用具としてそのまま流用して、網かご１０が捕集したゴミ２２を取り除く清掃用具の機能も発揮する。したがって、網かご１０は、ゴミ２２を取り除くことに関して自己完結している。
網かご１０は、それ自体の構成部材である分割網かご（分割網かご２０ａまたは２０ｂ）を使って網かご１０自体を清掃する清掃用具の機能を発揮して自己完結しているので、ユーザは手を汚すことなく容易に網かご１０の清掃ができることになり、ぬめりなどが発生しやすい排水口部１１を常に清潔に保つことができる。
【００２５】
図８Ａないし図８Ｈは、網かご１０を清掃する手順を示している。
網かご１０を清掃するときには、まず初めに、図８Ａに示すように、網かご１０を、一の分割網かご２０ａと他の分割網かご２０ｂとに分解する。そして、一の分割網かご２０ａで捕集されたゴミ２２を除去するときには、一の分割網かご２０ａを他の分割網かご２０ｂに対して矢印Ｂ1に示すように下方に移動させる。
次いで、図８Ｂに示すように、他の分割網かご２０ｂのフランジ部２１ｂを、一の分割網かご２０ａの内周面に沿って、矢印Ｂ2に示すようにほぼ円弧状に移動させる。続いて、図８Ｃないし図８Ｈに示すように、他の分割網かご２０ｂのフランジ部２１ｂを、一の分割網かご２０ａの内周面に沿ってほぼ円弧状に移動させる。
その結果、一の分割網かご２０ａの網３２ａの内面に付着していたゴミ２２は、他の分割網かご２０ｂのフランジ部２１ｂで掻き取られていき、やがてゴミ２２は、一の分割網かご２０ａから除去される。
【００２６】
上述の手順は、一の分割網かご２０ａで捕集されたゴミ２２を、他の分割網かご２０ｂのフランジ部２１ｂで除去する場合を説明したが、他の分割網かご２０ｂで捕集されたゴミを除去するときには、一の分割網かご２０ａのフランジ部２１ａを、他の分割網かご２０ｂの内周面に沿ってほぼ円弧状に移動させて、他の分割網かご２０ｂを清掃することになる。
このようにして、一の分割網かご２０ａで捕集されたゴミ２２と、他の分割網かご２０ｂで捕集されたゴミ２２は、それぞれフランジ部に掻き取られて除去される。こうして集められたゴミ２２は、住宅で発生する生ゴミとして廃棄することができる。
【００２７】
一方のフランジ部２１ａは、分割網かご２０ａの鍔としての機能と、網３２ａを支持する枠部材としての機能とを発揮し、且つ、ゴミ２２を掻き取る「掻き取り片」としての機能も発揮する。
これと同様に、他方のフランジ部２１ｂは、分割網かご２０ｂの鍔としての機能と、網３２ｂを支持する枠部材としての機能とを発揮し、且つ、ゴミ２２を掻き取る「掻き取り片」としての機能も発揮する。
【００２８】
その後、分割網かご２０ａ，２０ｂに水を掛けて洗浄すれば、分割網かご２０ａ，２０ｂは元の綺麗な状態になる。そして、分割網かご２０ａ，２０ｂ同士を、フランジ部２１ａ，２１ｂで接合手段３３により接合して、皿状の網かご１０に組み立てる。
こうして組み立てられた網かご１０をシンク９の排水口部１１に取付ければ、網かご１０は、再び元のように排水１４中のゴミ２２を捕集する機能を発揮する。
【００２９】
上述のように、網かご１０を清掃する際には、一方の分割網かごのフランジ部を、他方の分割網かごの内周面に沿って、矢印Ｂ2に示すようにほぼ円弧状に移動させて、他方の分割網かごの網の内面に付着していたゴミ２２を、一方の分割網かごのフランジ部で掻き取っている。
分割網かご２０ａ，２０ｂを構成する網３２ａ，３２ｂは、上述のように合成樹脂により一体的に形成されている。矢印Ｂ2は、一方の分割網かごのフランジ部による掻き取り方向を示している。
図９に示すように、分割網かご２０ａ，２０ｂの網３２ａ，３２ｂの内周面は、面一になっている。すなわち、網３２ａ，３２ｂの内周面は、同一曲面上に樹脂部分が揃っている。したがって、この場合、分割網かごのフランジ部と接触することになる網３２ａ，３２ｂの内周面において、掻き取り方向（矢印Ｂ2方向）には段差はなく滑らかである。
図１０に示す変形例では、分割網かご２０ａ，２０ｂの網３２ａ，３２ｂは、掻き取り方向（矢印Ｂ2方向）に延びる樹脂部分３６と、この樹脂部分３６に垂直な方向に延びる樹脂部分３７とを有し、樹脂部分３６と樹脂部分３７との間に段差がある。この場合、掻き取り方向（矢印Ｂ2方向）の樹脂部分３６の内周面は、垂直な樹脂部分３７の内周面より内方側に位置して、分割網かごのフランジ部と接触することになる。したがって、網３２ａ，３２ｂの内周面において、掻き取り方向（矢印Ｂ2方向）には段差はなく滑らかである。
分割網かご２０ａ，２０ｂの網３２ａ，３２ｂを、図９，図１０に示すような構成にすれば、網かご１０を清掃する際に、一方の分割網かごのフランジ部は、他方の分割網かごの網３２ａ，３２ｂの内周面に接触しながら、掻き取り方向（矢印Ｂ2方向）にスムースに移動して、他方の分割網かごの網３２ａ，３２ｂの内面に付着していたゴミ２２を、後に残すことなく良好に掻き取ることができる。
【００３０】
上述のように、シンク９の排水口部１１は、網かご１０にぬめりが発生しやすいので、システムキッチン１の中で最も頻繁に清掃を行う必要があり、ユーザにとって負担になっていた。
これに対して、本発明の網かご１０では、ユーザは手を汚すことなく容易に網かご１０の清掃ができるので、ユーザに負担をかけることなく排水口部１１を清掃して、システムキッチン１を常に清潔に保つことができる。
【００３１】
以上、本発明の実施例（変形例を含む。以下同じ）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３２】
本発明は、台所に設置される複合厨房家具の一種であるシステムキッチンやセクショナルキッチンの他に、台所の流し台などの厨房家具に適用可能である。
【符号の説明】
【００３３】
１      システムキッチン（キッチン）
９      シンク
１０    網かご
１１    排水口部
１４    排水
２０ａ  一の分割網かご（分割網かご）
２０ｂ  他の分割網かご（分割網かご）
２１ａ，２１ｂ  フランジ部
２２    ゴミ
３１ａ，３１ｂ  外周枠
３２ａ，３２ｂ  網
【図１】
0005473488.tif 000002
【図２】
0005473488.tif 000003
【図３】
0005473488.tif 000004
【図４】
0005473488.tif 000005
【図５】
0005473488.tif 000006
【図６】
0005473488.tif 000007
【図７】
0005473488.tif 000008
【図８Ａ】
0005473488.tif 000009
【図８Ｂ】
0005473488.tif 000010
【図８Ｃ】
0005473488.tif 000011
【図８Ｄ】
0005473488.tif 000012
【図８Ｅ】
0005473488.tif 000013
【図８Ｆ】
0005473488.tif 000014
【図８Ｇ】
0005473488.tif 000015
【図８Ｈ】
0005473488.tif 000016
【図９】
0005473488.tif 000017
【図１０】
0005473488.tif 000018